(57)【要約】【課題】シンプルな構成で効果的に光沢バンディングの発生を防止できるインクジェット記録装置を提供する。【解決手段】マルチパス方式で画像を記録する場合において、記録媒体上に打滴されたカラーインクの上に重ねてクリアインクを打滴する。この際、カラーインクがクリアインクによって被覆されるように、カラーインクの打滴サイズよりも大きい打滴サイズのクリアインクを打滴する。これにより、カラーインクを打滴することによって生じる画像の凹凸をよりなだらかにすることができ、光沢バンディングの発生を防ぐことができる。【選択図】  図９
2014037086.tif 000002
【特許請求の範囲】
【請求項１】
キャリッジと、
前記キャリッジに搭載され、副走査方向に配列された複数のノズルから記録媒体に向けて活性光線硬化型のカラーインクを吐出するカラーインクジェットヘッドと、
前記キャリッジに搭載され、副走査方向に配列された複数のノズルから前記記録媒体に向けて活性光線硬化型のクリアインクを吐出するクリアインクジェットヘッドであって、前記カラーインクジェットヘッドと同じノズルピッチで前記ノズルが形成され、前記カラーインクジェットヘッドによって打滴される前記カラーインクの上に前記クリアインクが打滴されるように、前記カラーインクジェットヘッドに対して副走査方向の同じ位置に前記ノズルが配置されるクリアインクジェットヘッドと、
前記キャリッジに搭載され、前記記録媒体上に打滴された前記カラーインク及び前記クリアインクに活性光線を照射する活性光線照射手段と、
前記記録媒体に対して前記キャリッジを相対的に主走査方向に移動させる主走査方向移動手段と、
前記記録媒体に対して前記キャリッジを相対的に副走査方向に移動させる副走査方向移動手段と、
前記主走査方向移動手段と前記副走査方向移動手段とを制御して、前記カラーインクジェットヘッドに主走査と副走査とを交互に行わせる移動制御手段であって、１ラスタに対して異なるノズルによる複数回の前記主走査が行われるように、前記カラーインクジェットヘッドに前記主走査と前記副走査とを交互に行わせる移動制御手段と、
前記記録媒体上に記録する画像のドット配置データを取得するドット配置データ取得手段と、
異なるノズルによる複数回の前記主走査によって１ラスタが完成されるように、前記ドット配置データに基づいて前記カラーインクによるドットの形成順序を決定するドット形成順序決定手段と、
前記カラーインクジェットヘッドの駆動を制御して、前記記録媒体上に前記カラーインクを打滴させるカラーインクジェットヘッド駆動制御手段であって、前記ドット形成順序決定手段で決定された形成順序で前記記録媒体上に前記カラーインクによるドットが形成されるように、前記カラーインクを打滴させるカラーインクジェットヘッド駆動制御手段と、
前記クリアインクジェットヘッドの駆動を制御して、前記記録媒体上に打滴された前記カラーインクに重ねて前記クリアインクを打滴させるクリアインクジェットヘッド駆動制御手段であって、前記カラーインクが被覆されるように、前記カラーインクの打滴サイズよりも大きい打滴サイズの前記クリアインクを打滴させるクリアインクジェットヘッド駆動制御手段と、
を備えたインクジェット記録装置。
【請求項２】
前記ドット配置データに基づいて前記クリアインクのドット配置データを算出するクリアインクドット配置データ算出手段と、
前記記録媒体上に打滴された前記カラーインクの上に前記クリアインクが重ねて打滴されるように、前記カラーインクによるドットの形成順序及び前記クリアインクのドット配置データに基づいて、前記クリアインクのドットの形成順序を決定するクリアインクドット形成順序決定手段と、
を更に備え、前記クリアインクジェットヘッド駆動制御手段は、前記クリアインクドット形成順序決定手段で決定された形成順序で前記記録媒体上に前記クリアインクによるドットが形成されるように、前記クリアインクを打滴させる請求項１に記載のインクジェット記録装置。
【請求項３】
キャリッジと、
前記キャリッジに搭載され、副走査方向に配列された複数のノズルから記録媒体に向けて活性光線硬化型のカラーインクを吐出するカラーインクジェットヘッドと、
前記キャリッジに搭載され、副走査方向に配列された複数のノズルから前記記録媒体に向けて活性光線硬化型のクリアインクを吐出するクリアインクジェットヘッドであって、前記カラーインクジェットヘッドと同じノズルピッチで前記ノズルが形成され、前記カラーインクジェットヘッドによって打滴される前記カラーインクの上に前記クリアインクが打滴されるように、前記カラーインクジェットヘッドに対して副走査方向の同じ位置に前記ノズルが配置されるクリアインクジェットヘッドと、
前記キャリッジに搭載され、前記記録媒体上に打滴された前記カラーインク及び前記クリアインクに活性光線を照射する活性光線照射手段と、
前記記録媒体に対して前記キャリッジを相対的に主走査方向に移動させる主走査方向移動手段と、
前記記録媒体に対して前記キャリッジを相対的に副走査方向に移動させる副走査方向移動手段と、
前記主走査方向移動手段と前記副走査方向移動手段とを制御して、前記カラーインクジェットヘッドに主走査と副走査とを交互に行わせる移動制御手段であって、１ラスタに対して異なるノズルによる複数回の前記主走査が行われるように、前記カラーインクジェットヘッドに前記主走査と前記副走査とを交互に行わせる移動制御手段と、
前記記録媒体上に記録する画像のドット配置データを取得するドット配置データ取得手段と、
異なるノズルによる複数回の前記主走査によって１ラスタが完成されるように、前記ドット配置データに基づいて前記カラーインクによるドットの形成順序を決定するドット形成順序決定手段と、
前記カラーインクジェットヘッドの駆動を制御して、前記記録媒体上に前記カラーインクを打滴させるカラーインクジェットヘッド駆動制御手段であって、前記ドット形成順序決定手段で決定された形成順序で前記記録媒体上に前記カラーインクによるドットが形成されるように、前記カラーインクを打滴させるカラーインクジェットヘッド駆動制御手段と、
前記クリアインクジェットヘッドの駆動を制御して、前記記録媒体上に打滴された前記カラーインクに重ねて前記クリアインクを打滴させるクリアインクジェットヘッド駆動制御手段であって、前記カラーインクが打滴された点の総インク量がほぼ一定になるように、前記クリアインクを打滴させるクリアインクジェットヘッド駆動制御手段と、
を備えたインクジェット記録装置。
【請求項４】
前記ドット配置データに基づいて前記カラーインクが打滴される各点の総インク量を算出し、前記各点の総インク量をほぼ一定にするための前記クリアインクのドット配置データを算出するクリアインクドット配置データ算出手段と、
前記記録媒体上に打滴された前記カラーインクの上に前記クリアインクが重ねて打滴されるように、前記カラーインクによるドットの形成順序及び前記クリアインクのドット配置データに基づいて、前記クリアインクのドットの形成順序を決定するクリアインクドット形成順序決定手段と、
を更に備え、前記クリアインクジェットヘッド駆動制御手段は、前記クリアインクドット形成順序決定手段で決定された形成順序で前記記録媒体上に前記クリアインクによるドットが形成されるように、前記クリアインクを打滴させる請求項３に記載のインクジェット記録装置。
【請求項５】
キャリッジと、
前記キャリッジに搭載され、副走査方向に配列された複数のノズルから記録媒体に向けて活性光線硬化型のカラーインクを吐出するカラーインクジェットヘッドと、
前記キャリッジに搭載され、副走査方向に配列された複数のノズルから前記記録媒体に向けて活性光線硬化型のクリアインクを吐出するクリアインクジェットヘッドであって、前記カラーインクジェットヘッドと同じノズルピッチで前記ノズルが形成され、前記カラーインクジェットヘッドによって打滴される前記カラーインクに対して副走査方向に所定量変位した位置に重ねて前記クリアインクが打滴されるように、前記カラーインクジェットヘッドに対して前記ノズルが副走査方向に所定量変位して配置されるクリアインクジェットヘッドと、
前記キャリッジに搭載され、前記記録媒体上に打滴された前記カラーインク及び前記クリアインクに活性光線を照射する活性光線照射手段と、
前記記録媒体に対して前記キャリッジを相対的に主走査方向に移動させる主走査方向移動手段と、
前記記録媒体に対して前記キャリッジを相対的に副走査方向に移動させる副走査方向移動手段と、
前記主走査方向移動手段と前記副走査方向移動手段とを制御して、前記カラーインクジェットヘッドに主走査と副走査とを交互に行わせる移動制御手段であって、１ラスタに対して異なるノズルによる複数回の前記主走査が行われるように、前記カラーインクジェットヘッドに前記主走査と前記副走査とを交互に行わせる移動制御手段と、
前記記録媒体上に記録する画像のドット配置データを取得するドット配置データ取得手段と、
異なるノズルによる複数回の前記主走査によって１ラスタが完成されるように、前記ドット配置データに基づいて前記カラーインクによるドットの形成順序を決定するドット形成順序決定手段と、
前記カラーインクジェットヘッドの駆動を制御して、前記記録媒体上に前記カラーインクを打滴させるカラーインクジェットヘッド駆動制御手段であって、前記ドット形成順序決定手段で決定された形成順序で前記記録媒体上に前記カラーインクによるドットが形成されるように、前記カラーインクを打滴させるカラーインクジェットヘッド駆動制御手段と、
前記クリアインクジェットヘッドの駆動を制御して、前記記録媒体上に打滴された前記カラーインクに重ねて前記クリアインクを打滴させるクリアインクジェットヘッド駆動制御手段であって、前記カラーインクに対して副走査方向に所定量変位した位置に前記クリアインクを重ねて打滴させるクリアインクジェットヘッド駆動制御手段と、
を備えたインクジェット記録装置。
【請求項６】
前記ドット配置データに基づいて前記クリアインクのドット配置データを算出するクリアインクドット配置データ算出手段と、
前記記録媒体上に打滴された前記カラーインクの上に前記クリアインクが副走査方向に所定量変位して重ねて打滴されるように、前記カラーインクによるドットの形成順序及び前記クリアインクのドット配置データに基づいて、前記クリアインクのドットの形成順序を決定するクリアインクドット形成順序決定手段と、
を更に備え、前記クリアインクジェットヘッド駆動制御手段は、前記クリアインクドット形成順序決定手段で決定された形成順序で前記記録媒体上に前記クリアインクによるドットが形成されるように、前記クリアインクを打滴させる請求項５に記載のインクジェット記録装置。
【請求項７】
前記カラーインクに対して前記クリアインクを変位させる量が前記カラーインクジェットヘッドのノズルピッチの１／２以下である請求項５又は６に記載のインクジェット記録装置。
【請求項８】
前記ドット形成順序決定手段は、往路方向と復路方向の複数回の前記主走査によって１ラスタが完成されるように、前記ドット配置データに基づいて前記カラーインクによるドットの形成順序を決定する請求項１から７のいずれか１項に記載のインクジェット記録装置。
【請求項９】
前記キャリッジには、前記カラーインクジェットヘッドとして、少なくともイエロインクを吐出するイエロインクジェットヘッドと、マゼンタインクを吐出するマゼンタインクジェットヘッドと、シアンインクを吐出するシアンインクジェットヘッドと、クロインクを吐出するクロインクジェットヘッドとが搭載される請求項１から８のいずれか１項に記載のインクジェット記録装置。
【請求項１０】
前記キャリッジには前記カラーインクジェットヘッドの片側にのみ前記クリアインクジェットヘッドが搭載される請求項１から９のいずれか１項に記載のインクジェット記録装置。
【発明の詳細な説明】
【技術分野】
【０００１】
本発明はインクジェット記録装置に係り、特に活性光線硬化型のインクを使用して画像の記録を行うシリアル方式のインクジェット記録装置に関する。
【背景技術】
【０００２】
シリアル方式のインクジェット記録装置では、通常、ヘッド走査による主走査（ラスタ方向走査）と、紙送りによる副走査（カラム方向走査）とを組み合わせて画像の記録が行われる。
【０００３】
シリアル方式のインクジェット記録装置で画像を記録すると、光沢バンディングと呼ばれる帯状の光沢ムラ（バンドごとに光沢とマットとが交互に出現し、バンドごとに光沢感が異なって見える現象）が発生する場合がある。この光沢バンディングは、単方向印字よりも双方向印字で発生しやすく、また、積まれるインクの量の多い高濃度部で目立って発生する。また、単色よりも２次色、３次色、４次色で目立って発生する。そして、このような光沢バンディングは、紫外線硬化型インクのように、活性光線硬化型のインクを使用して画像を記録する場合に顕著となる。
【０００４】
光沢バンディングは、画像表面の凹凸の周期性がバンドごとに現れることが原因と考えられている。すなわち、画像の光沢感は、画像に入射した光がどのように反射するかで決まるが、シリアル方式では、画像表面の凹凸の周期性がバンドごとに現れるため、バンドごとに光沢感が異なって見える現象が生じる。
【０００５】
したがって、画像表面の凹凸の周期性をなくすことで、光沢バンディングを軽減することができる。
【０００６】
そこで、図１５に示すように、１回の主走査で描画される画像の凹凸形状をよりランダム化する方法、すなわち、主走査方向のドットを意図的にランダムに切り離す（意図的にドットの抜けを作る＝格子点を埋めない）方法が提案されている。この場合、ドットが抜けても画像濃度が一定以上確保されるように、インクと打滴量に関する濃度設計が必要となる。
【０００７】
また、副走査方向のドットの埋め方に関しても、図１６に示すように、格子点を順次埋めてゆくシリアルインタレース方式（同図（Ａ））に対して、よりランダム性を持たせて飛び飛びに埋めたり（＝ランダムインタレース方式）（同図（Ｂ）、意図的に走査ごと又は色ごとに格子点に対して微小なズレを設けて打滴したり（同図（Ｃ））することで、副走査方向のランダム性を確保する方法が提案されている。この場合、ドットのサイズと格子点のピッチの関係の設計が重要となる。そして、格子点からのズレは弊害として文字品質悪化がある。
【０００８】
また、図１７に示すように、１ラスタを複数回の主走査（ラスタ方向走査）で完成させる方式（マルチパス方式、たとえば、特許文献１等）も提案されている。この場合、１走査で得られる凹凸形状を主走査方向（ラスタ方向）にもランダム化することができ、光沢バンディングを低減することができる。
【０００９】
一方、マルチパス方式で双方向走査する場合、書き始めが往路方向からか、復路方向からかによってバンドごとに差異が生じ得ることから、この差異を低減するため、図１８に示すように、双方向を１ペアとして捉え、２バンドごとに２回分のピッチの副走査送りを行う方法も提案されている。
【００１０】
さらに、画像の凹凸を平滑化するために、画像全体を２度書きして、光沢バンディングを低減する方式も提案されている。
【先行技術文献】
【特許文献】
【００１１】
【特許文献１】特開２０１２−２５１１６号公報
【発明の概要】
【発明が解決しようとする課題】
【００１２】
ところで、インクジェット記録装置では、単位ノズルあたりの生産性を増やすために、ノズルピッチを荒くして打滴するドットのサイズを大きくした設計のヘッドを採用する場合がある。この場合、打滴のサイズが大きいため、主走査方向（ラスタ方向）のパス数を増やしても、ドット同士が繋がってしまうため、マルチパス方式を採用しても、光沢バンディングには必ずしも効果を発揮しないという問題がある。
【００１３】
また、副走査方向のインタレース方式に関しては、１つ飛ばしのシリアルインタレースではラスタ同士が合一してしまい、２つ飛ばしのランダムインタレースによって初めてラスタが干渉せず、比較的平らな表面が実現するような画像解像度となり得る。このような場合、２本のラスタだけでなく、更なるラスタによる干渉を考慮する必要があり、最終的に凹凸の少ない画像（光沢バンディングの少ない画像）を得るためには、多くのケースを考慮しなければならないという欠点がある。
【００１４】
本発明は、このような事情に鑑みてなされたもので、シンプルな構成で効果的に光沢バンディングの発生を防止できるインクジェット記録装置を提供することを目的とする。
【課題を解決するための手段】
【００１５】
上記課題を解決するための手段は、次のとおりである。
【００１６】
第１の態様は、キャリッジと、キャリッジに搭載され、副走査方向に配列された複数のノズルから記録媒体に向けて活性光線硬化型のカラーインクを吐出するカラーインクジェットヘッドと、キャリッジに搭載され、副走査方向に配列された複数のノズルから記録媒体に向けて活性光線硬化型のクリアインクを吐出するクリアインクジェットヘッドであって、カラーインクジェットヘッドと同じノズルピッチでノズルが形成され、カラーインクジェットヘッドによって打滴されるカラーインクの上にクリアインクが打滴されるように、カラーインクジェットヘッドに対して副走査方向の同じ位置にノズルが配置されるクリアインクジェットヘッドと、キャリッジに搭載され、記録媒体上に打滴されたカラーインク及びクリアインクに活性光線を照射する活性光線照射手段と、記録媒体に対してキャリッジを相対的に主走査方向に移動させる主走査方向移動手段と、記録媒体に対してキャリッジを相対的に副走査方向に移動させる副走査方向移動手段と、主走査方向移動手段と副走査方向移動手段とを制御して、カラーインクジェットヘッドに主走査と副走査とを交互に行わせる移動制御手段であって、１ラスタに対して異なるノズルによる複数回の主走査が行われるように、カラーインクジェットヘッドに主走査と副走査とを交互に行わせる移動制御手段と、記録媒体上に記録する画像のドット配置データを取得するドット配置データ取得手段と、異なるノズルによる複数回の主走査によって１ラスタが完成されるように、ドット配置データに基づいてカラーインクによるドットの形成順序を決定するドット形成順序決定手段と、カラーインクジェットヘッドの駆動を制御して、記録媒体上にカラーインクを打滴させるカラーインクジェットヘッド駆動制御手段であって、ドット形成順序決定手段で決定された形成順序で記録媒体上にカラーインクによるドットが形成されるように、カラーインクを打滴させるカラーインクジェットヘッド駆動制御手段と、クリアインクジェットヘッドの駆動を制御して、記録媒体上に打滴されたカラーインクに重ねてクリアインクを打滴させるクリアインクジェットヘッド駆動制御手段であって、カラーインクが被覆されるように、カラーインクの打滴サイズよりも大きい打滴サイズのクリアインクを打滴させるクリアインクジェットヘッド駆動制御手段と、を備えた態様のインクジェット記録装置である。
【００１７】
本態様によれば、いわゆるマルチパス方式（異なるノズルによる複数回の主走査によって１ラスタが完成するように記録する方式）で画像を記録する場合において、記録媒体上に打滴されたカラーインクの上に重ねてクリアインクが打滴される。この際、カラーインクがクリアインクによって被覆されるように、カラーインクの打滴サイズ（ドットサイズ）よりも大きい打滴サイズ（ドットサイズ）のクリアインクが打滴される。これにより、カラーインクを打滴することによって生じる画像の凹凸をよりなだらかにすることができ、光沢バンディングの発生を効果的に抑えることができる。また、クリアインクを使用することにより、画像の濃度にも影響を与えることなく、光沢バンディングの発生を抑えることができる。
【００１８】
第２の態様は、第１の態様のインクジェット記録装置において、ドット配置データに基づいてクリアインクのドット配置データを算出するクリアインクドット配置データ算出手段と、記録媒体上に打滴されたカラーインクの上にクリアインクが重ねて打滴されるように、カラーインクによるドットの形成順序及びクリアインクのドット配置データに基づいて、クリアインクのドットの形成順序を決定するクリアインクドット形成順序決定手段と、を更に備え、クリアインクジェットヘッド駆動制御手段は、クリアインクドット形成順序決定手段で決定された形成順序で記録媒体上にクリアインクによるドットが形成されるように、クリアインクを打滴させる態様である。
【００１９】
本態様によれば、カラーインクのドット配置データに基づいてクリアインクのドット配置データが決定される。また、そのクリアインクのドット配置データとカラーインクのドット形成順序に基づいて、クリアインクの形成順序が決定される。これにより、カラーインクの上に的確にクリアインクを打滴することができる。
【００２０】
第３の態様は、キャリッジと、キャリッジに搭載され、副走査方向に配列された複数のノズルから記録媒体に向けて活性光線硬化型のカラーインクを吐出するカラーインクジェットヘッドと、キャリッジに搭載され、副走査方向に配列された複数のノズルから記録媒体に向けて活性光線硬化型のクリアインクを吐出するクリアインクジェットヘッドであって、カラーインクジェットヘッドと同じノズルピッチでノズルが形成され、カラーインクジェットヘッドによって打滴されるカラーインクの上にクリアインクが打滴されるように、カラーインクジェットヘッドに対して副走査方向の同じ位置にノズルが配置されるクリアインクジェットヘッドと、キャリッジに搭載され、記録媒体上に打滴されたカラーインク及びクリアインクに活性光線を照射する活性光線照射手段と、記録媒体に対してキャリッジを相対的に主走査方向に移動させる主走査方向移動手段と、記録媒体に対してキャリッジを相対的に副走査方向に移動させる副走査方向移動手段と、主走査方向移動手段と副走査方向移動手段とを制御して、カラーインクジェットヘッドに主走査と副走査とを交互に行わせる移動制御手段であって、１ラスタに対して異なるノズルによる複数回の主走査が行われるように、カラーインクジェットヘッドに主走査と副走査とを交互に行わせる移動制御手段と、記録媒体上に記録する画像のドット配置データを取得するドット配置データ取得手段と、異なるノズルによる複数回の主走査によって１ラスタが完成されるように、ドット配置データに基づいてカラーインクによるドットの形成順序を決定するドット形成順序決定手段と、カラーインクジェットヘッドの駆動を制御して、記録媒体上にカラーインクを打滴させるカラーインクジェットヘッド駆動制御手段であって、ドット形成順序決定手段で決定された形成順序で記録媒体上にカラーインクによるドットが形成されるように、カラーインクを打滴させるカラーインクジェットヘッド駆動制御手段と、クリアインクジェットヘッドの駆動を制御して、記録媒体上に打滴されたカラーインクに重ねてクリアインクを打滴させるクリアインクジェットヘッド駆動制御手段であって、カラーインクが打滴された点の総インク量がほぼ一定になるように、クリアインクを打滴させるクリアインクジェットヘッド駆動制御手段と、を備えた態様のインクジェット記録装置である。
【００２１】
本態様によれば、いわゆるマルチパス方式で画像を記録する場合において、記録媒体上に打滴されたカラーインクの上に重ねてクリアインクが打滴される。この際、各打滴点（カラーインクが打滴される点）のインク総量がほぼ一定になるように、クリアインクが打滴される。すなわち、カラーインクのインク量（インク滴のサイズ、記録媒体上のドットサイズと同義）が少ないところを狙ってクリアインクが打滴され、全体のインク量の均一化が図られる。これにより、カラーインクを打滴することによって生じる画像の凹凸をよりなだらかにすることができ、光沢バンディングの発生を効果的に抑えることができる。また、クリアインクを使用することにより、画像の濃度にも影響を与えることなく、光沢バンディングの発生を抑えることができる。
【００２２】
第４の態様は、第３の態様のインクジェット記録装置において、ドット配置データに基づいてカラーインクが打滴される各点の総インク量を算出し、各点の総インク量をほぼ一定にするためのクリアインクのドット配置データを算出するクリアインクドット配置データ算出手段と、記録媒体上に打滴されたカラーインクの上にクリアインクが重ねて打滴されるように、カラーインクによるドットの形成順序及びクリアインクのドット配置データに基づいて、クリアインクのドットの形成順序を決定するクリアインクドット形成順序決定手段と、を更に備え、クリアインクジェットヘッド駆動制御手段は、クリアインクドット形成順序決定手段で決定された形成順序で記録媒体上にクリアインクによるドットが形成されるように、クリアインクを打滴させる態様である。
【００２３】
本態様によれば、カラーインクのドット配置データに基づいてカラーインクが打滴される各点の総インク量が算出される。そして、算出された各点の総インク量（カラーインクの総インク量）に基づいて、各点の総インク量をほぼ一定にするためのクリアインクのドット配置データが算出される。また、算出されたクリアインクのドット配置データとカラーインクのドット配置データとに基づいて、クリアインクのドットの形成順序が決定される。これにより、適切にカラーインクの上にクリアインクを適量打滴することができる。
【００２４】
第５の態様は、キャリッジと、キャリッジに搭載され、副走査方向に配列された複数のノズルから記録媒体に向けて活性光線硬化型のカラーインクを吐出するカラーインクジェットヘッドと、キャリッジに搭載され、副走査方向に配列された複数のノズルから記録媒体に向けて活性光線硬化型のクリアインクを吐出するクリアインクジェットヘッドであって、カラーインクジェットヘッドと同じノズルピッチでノズルが形成され、カラーインクジェットヘッドによって打滴されるカラーインクに対して副走査方向に所定量変位した位置に重ねてクリアインクが打滴されるように、カラーインクジェットヘッドに対してノズルが副走査方向に所定量変位して配置されるクリアインクジェットヘッドと、キャリッジに搭載され、記録媒体上に打滴されたカラーインク及びクリアインクに活性光線を照射する活性光線照射手段と、記録媒体に対してキャリッジを相対的に主走査方向に移動させる主走査方向移動手段と、記録媒体に対してキャリッジを相対的に副走査方向に移動させる副走査方向移動手段と、主走査方向移動手段と副走査方向移動手段とを制御して、カラーインクジェットヘッドに主走査と副走査とを交互に行わせる移動制御手段であって、１ラスタに対して異なるノズルによる複数回の主走査が行われるように、カラーインクジェットヘッドに主走査と副走査とを交互に行わせる移動制御手段と、記録媒体上に記録する画像のドット配置データを取得するドット配置データ取得手段と、異なるノズルによる複数回の主走査によって１ラスタが完成されるように、ドット配置データに基づいてカラーインクによるドットの形成順序を決定するドット形成順序決定手段と、カラーインクジェットヘッドの駆動を制御して、記録媒体上にカラーインクを打滴させるカラーインクジェットヘッド駆動制御手段であって、ドット形成順序決定手段で決定された形成順序で記録媒体上にカラーインクによるドットが形成されるように、カラーインクを打滴させるカラーインクジェットヘッド駆動制御手段と、クリアインクジェットヘッドの駆動を制御して、記録媒体上に打滴されたカラーインクに重ねてクリアインクを打滴させるクリアインクジェットヘッド駆動制御手段であって、カラーインクに対して副走査方向に所定量変位した位置にクリアインクを重ねて打滴させるクリアインクジェットヘッド駆動制御手段と、を備えた態様のインクジェット記録装置である。
【００２５】
本態様によれば、いわゆるマルチパス方式で画像を記録する場合において、記録媒体上に打滴されたカラーインクに対して副走査方向（カラム方向）に所定量変位した位置に重ねてクリアインクが打滴される。すなわち、副走査方向にずらしてクリアインクが打滴される。これにより、ラスタ同士の谷を埋めることができ、画像の凹凸をよりなだらかにすることができる。また、クリアインクを使用することにより、画像の濃度にも影響を与えることなく、光沢バンディングの発生を抑えることができる。
【００２６】
第６の態様は、第５の態様のインクジェット記録装置において、ドット配置データに基づいてクリアインクのドット配置データを算出するクリアインクドット配置データ算出手段と、記録媒体上に打滴されたカラーインクの上にクリアインクが副走査方向に所定量変位して重ねて打滴されるように、カラーインクによるドットの形成順序及びクリアインクのドット配置データに基づいて、クリアインクのドットの形成順序を決定するクリアインクドット形成順序決定手段と、を更に備え、クリアインクジェットヘッド駆動制御手段は、クリアインクドット形成順序決定手段で決定された形成順序で記録媒体上にクリアインクによるドットが形成されるように、クリアインクを打滴させる態様である。
【００２７】
本態様によれば、カラーインクのドット配置データに基づいてクリアインクのドット配置データが算出される。そして、カラーインクによるドットの形成順序とクリアインクのドット配置データに基づいて、クリアインクのドットの形成順序が決定される。これにより、クリアインクを適切に打滴することができる。
【００２８】
第７の態様は、第５又は６の態様のインクジェット記録装置において、変位量がカラーインクジェットヘッドのノズルピッチの１／２以下である態様である。
【００２９】
本態様によれば、カラーインクジェットヘッドに対してクリアインクジェットヘッドを副走査方向に変位させる変位量（副走査方向にずらす量）が、カラーインクジェットヘッドのノズルピッチの１／２以下とされる。１つのパスで考えると、どのような打滴をする場合であっても、ノズルピッチで打滴の山が現れる。この山は、過去のパスの打滴の山に対して異なる位置に打滴される。しかし、過去のパスによる山の形状は、画像パターンによって異なる。したがって、過去のパスで形成される山の形状に依存しない形で当該パスの山の形をなだらかにすることが要求される。すなわち、１パスで完結する形で山の形をなだらかにすることが望ましい。ここで、クリアインクのノズルがカラーインクのノズルに対して離れすぎる場合、なだらかな山を形成する助けにはならず、カラーインクとクリアインクとが別の山として形成されてしまう。その一方で近すぎる場合には、山をなだらかにすることに寄与せず、山の高さが単純に高くなってしまう。山の形は、打滴サイズ（ドットサイズ：大・中・小）、さらには多色（４００％）程度まで考慮して、最適な距離を求める必要がある。たとえば、最大打滴量として想定される打滴の広がりを単純に孤立打滴の約倍程度と見込み、打滴半径の１００％〜２００％の相当する位置に打滴することが望ましい。たとえば、ノズルピッチが２５４ｕｍであり、打滴径が大滴１００％で半径５０ｕｍのとき、ノズル位置は５０ｕｍ〜１００ｕｍずらすことが望ましい。これにより、画像のパターンによらず、各種の打滴パターンに対して、打滴の山をなだらかにすることが可能になる。
【００３０】
第８の態様は、第１から７のいずれか１の態様のインクジェット記録装置において、ドット形成順序決定手段は、往路方向と復路方向の複数回の主走査によって１ラスタが完成されるように、ドット配置データに基づいてカラーインクによるドットの形成順序を決定する態様である。
【００３１】
光沢バンディングは、単方向印字時よりも双方向印字時に発生しやすいが、双方向印字を行った場合であっても、光沢バンディングを効果的に抑制することができる。
【００３２】
第９の態様は、第１から８のいずれか１の態様のインクジェット記録装置において、キャリッジには、カラーインクジェットヘッドとして、少なくともイエロインクを吐出するイエロインクジェットヘッドと、マゼンタインクを吐出するマゼンタインクジェットヘッドと、シアンインクを吐出するシアンインクジェットヘッドと、クロインクを吐出するクロインクジェットヘッドとが搭載される態様である。
【００３３】
光沢バンディングは、単色よりも多色印字時に発生しやすいが、多色印字を行った場合であっても、光沢バンディングを効果的に抑制することができる。
【００３４】
第１０の態様は、第１から９のいずれか１の態様のインクジェット記録装置において、キャリッジにはカラーインクジェットヘッドの片側にのみクリアインクジェットヘッドが搭載される態様である。
【００３５】
本態様によれば、カラーインクジェットヘッドの片側にのみクリアインクジェットヘッドが搭載される。これにより、構造を簡素化することができる。なお、この場合、双方向印字する場合は、主走査方向に対してクリアインクジェットヘッドがカラーインクジェットヘッドの下流側に位置する場合にのみクリアインクの打滴が行われる。
【発明の効果】
【００３６】
本発明によれば、シンプルな構成で効果的に光沢バンディングの発生を防止できる。
【図面の簡単な説明】
【００３７】
【図１】本発明に係るインクジェット記録装置の一実施形態を示す外観斜視図
【図２】インクジェット記録装置における記録媒体の搬送路を模式的に示す図
【図３】キャリッジの概略構成を示す平面図
【図４】ヘッドユニットの概略構成を示す下面図
【図５】インクジェット記録装置の制御系の要部構成を示すブロック図
【図６】画像処理部のブロック図
【図７】マルチパス方式による作画動作の一例を示す模式図
【図８】マルチパス方式による作画動作の説明図
【図９】画像記録方法の第１の形態の説明図
【図１０】画像記録方法の第１の形態の変形例の説明図
【図１１】画像記録方法の第１の形態の変形例の説明図
【図１２】画像記録方法の第２の形態の説明図
【図１３】画像記録方法の第３の形態の説明図
【図１４】第３の形態の画像記録方法で使用するヘッドユニットの構成を示す平面図
【図１５】シリアル方式の画像記録方法の説明図
【図１６】シリアル方式の画像記録方法の説明図（シリアルインタレース方式）
【図１７】シリアル方式の画像記録方法の説明図（マルチパス方式）
【図１８】シリアル方式の画像記録方法の説明図（マルチパス方式の変形例）
【発明を実施するための形態】
【００３８】
以下、添付図面に従って本発明の好ましい実施の形態について詳説する。
【００３９】
《インクジェット記録装置の構成》
〔全体構成〕
図１は、本発明に係るインクジェット記録装置の一実施形態を示す外観斜視図である。
【００４０】
同図に示すインクジェット記録装置１０は、紫外線硬化型のインク（ＵＶ硬化インク）を用いて記録媒体上にカラー画像を形成するワイドフォーマットプリンタである。ワイドフォーマットプリンタは、大型ポスターや商業用壁面広告など、広い描画範囲を記録するのに好適な装置である。ここでは、Ａ３ノビ以上に対応するものを「ワイドフォーマット」と呼ぶ。
【００４１】
インクジェット記録装置１０は、装置本体２０と、この装置本体２０を支持する支持脚２２とを備えて構成される。
【００４２】
装置本体２０は、記録媒体１２を支持するプラテン２６と、プラテン２６の上方を主走査方向（ラスタ方向）に往復移動するキャリッジ２８と、キャリッジ２８に搭載され、プラテン２６に支持された記録媒体１２に向けてインクを吐出するヘッドユニットＨと、キャリッジ２８に搭載され、プラテン２６に支持された記録媒体１２に向けて紫外線を照射し、記録媒体上に着弾したインクを硬化させる一対の仮硬化光源（活性光線照射手段）３２Ａ、３２Ｂ及び一対の本硬化光源（活性光線照射手段）３４Ａ、３４Ｂ等を備えて構成される。
【００４３】
キャリッジ２８は、ガイド機構３０にガイドされて図中Ｙ方向（主走査方向（ラスタ方向））に往復移動可能に支持される。ガイド機構３０は、プラテン２６の上方において、記録媒体１２の搬送方向（Ｘ方向：副走査方向（カラム方向））と直交して配置され、かつ、プラテン２６の記録媒体支持面と平行に配置される。キャリッジ２８は、図示しない駆動手段に駆動されて主走査方向に往復移動する。
【００４４】
キャリッジ２８には、ヘッドユニットＨ、一対の仮硬化光源（ピニング光源）３２Ａ、３２Ｂ、及び、一対の本硬化光源（キュアリング光源）３４Ａ、３４Ｂ等が搭載される。
【００４５】
ヘッドユニットＨは、複数のカラーインクジェットヘッド２４Ｗ、２４Ｍ、２４ＬＭ、２４Ｃ、２４ＬＣ、２４Ｙ、２４Ｋと、１つクリアインクジェットヘッド２４ＣＬとを一体化して構成される。各インクジェットヘッドは、それぞれプラテン２６に支持された記録媒体１２に向けてインクを吐出する。なお、ヘッドユニットＨの具体的な構成については、のちに詳述する。
【００４６】
仮硬化光源３２Ａ、３２Ｂは、プラテン２６に支持された記録媒体１２に向けて紫外線を照射し、記録媒体上に着弾したインクを仮硬化させる。すなわち、隣接液滴同士が合一化しない程度にインクを硬化させる。仮硬化光源３２Ａ、３２Ｂから紫外線が照射されたインクは、着弾干渉を回避するものの、ドット展開がされる程度（十分に広がることができる程度）に硬化する。
【００４７】
本硬化光源３４Ａ、３４Ｂは、プラテン２６に支持された記録媒体１２に向けて紫外線を照射し、記録媒体上に着弾したインクを本硬化させる。すなわち、仮硬化されたインクに対して追加露光を行い、最終的にインクを完全に硬化させる。
【００４８】
ヘッドユニットＨと、一対の仮硬化光源３２Ａ、３２Ｂと、一対の本硬化光源３４Ａ、３４Ｂとは、キャリッジ２８が移動することにより、キャリッジ２８とともに移動する。キャリッジ２８の移動方向（Ｙ方向）が「主走査方向」に相当し、記録媒体１２の搬送方向（Ｘ方向）が「副走査方向」に相当する。
【００４９】
記録媒体１２には、紙、不織布、塩化ビニル、合成化学繊維、ポリエチレン、ポリエステル、ターポリンなど、材質を問わず、また、浸透性媒体、非浸透性媒体を問わず、様々な媒体を用いることができる。
【００５０】
記録媒体１２は、装置本体の背面側からロール紙の状態で給紙され、印字後は装置本体の正面側でロール状に巻き取られる（いわゆるロール・ツー・ロール方式による搬送）。プラテン上に搬送された記録媒体１２に対して、ヘッドユニットＨからインク滴が吐出され、記録媒体上に打滴されたインク滴に対して仮硬化光源３２Ａ、３２Ｂ、本硬化光源３４Ａ、３４Ｂから紫外線が照射される。
【００５１】
〔記録媒体搬送路の説明〕
図２は、インクジェット記録装置における記録媒体の搬送路を模式的に示す図である。
【００５２】
記録媒体１２は、帯状に形成される。記録媒体１２は、ロール・ツー・ロール方式で所定の搬送経路を搬送される。すなわち、ロール状に巻回されて繰出軸４２に装填され、繰出軸４２から繰り出されて所定の搬送経路を走行し、巻取軸４４にロール状に巻き取られる。そして、繰出軸４２から繰り出されて巻取軸４４に巻き取られる間にプラテン２６の上を通過し、プラテン上で所定の印字処理が施される。
【００５３】
繰出軸４２と巻取軸４４とは、図示しない回転駆動手段に駆動されて回転し、記録媒体１２を弛みなく走行させる。
【００５４】
プラテン２６は、平坦な記録媒体支持面を有し、この記録媒体支持面上で記録媒体１２を平坦に支持する。
【００５５】
プラテン２６の入口側（記録媒体１２の搬送方向上流側）には、一対のニップローラ４０が配設される。ニップローラ４０は、図示しない回転駆動手段に駆動されて回転し、記録媒体１２を長手方向に沿って搬送する。
【００５６】
また、プラテン２６の出口側（記録媒体１２の搬送方向下流側）には、搬送ガイド４６が配設される。記録媒体１２は、この搬送ガイド４６にガイドされてプラテン２６の上面に密着しながら搬送される。
【００５７】
また、プラテン２６の裏面側には温調手段５０が設けられる。温調手段５０は、プラテン２６を加熱・冷却して、プラテン２６の上を搬送される記録媒体１２の温度を調整する。印字時の記録媒体１２の温度を調整することにより、記録媒体１２に着弾するインクの粘度や表面張力等の物性値を調整することができ、高品質な画像を記録することができる。なお、必要に応じて、温調手段５０の上流側にプレ温調手段５２、下流側にアフター温調手段５４を設けることもできる。
【００５８】
〔画像形成部の構成〕
図３は、キャリッジの概略構成を示す平面図である。
【００５９】
上記のように、キャリッジ２８には、ヘッドユニットＨ、仮硬化光源３２Ａ、３２Ｂ及び本仮硬化光源３２Ａ、３２Ｂが搭載される。
【００６０】
上記のように、ヘッドユニットＨは、複数のカラーインクジェットヘッド２４Ｗ、２４Ｍ、２４ＬＭ、２４Ｃ、２４ＬＣ、２４Ｙ、２４Ｋと、１つクリアインクジェットヘッド２４ＣＬとを一体化して構成される。
【００６１】
カラーインクジェットヘッドは、紫外線硬化型のホワイトインク（Ｗ）を吐出するホワイトインクジェットヘッド２４Ｗと、紫外線硬化型のマゼンタインク（Ｍ）を吐出するマゼンタインクジェットヘッド２４Ｍと、紫外線硬化型のライトマゼンタインク（ＬＭ）を吐出するライトマゼンタインクジェットヘッド２４ＬＭと、紫外線硬化型のシアンインク（Ｃ）を吐出するシアンインクジェットヘッド２４Ｃと、紫外線硬化型のライトシアンインク（ＬＣ）を吐出するライトシアンインクジェットヘッド２４ＬＣと、紫外線硬化型のイエロインク（Ｙ）を吐出するイエロインクジェットヘッド２４Ｙと、紫外線硬化型のクロインク（Ｋ）を吐出するクロインクジェットヘッド２４Ｋとで構成される。
【００６２】
各カラーインクジェットヘッド２４Ｗ、２４Ｍ、２４ＬＭ、２４Ｃ、２４ＬＣ、２４Ｙ、２４Ｋの構成は同じである。
【００６３】
各カラーインクジェットヘッド２４Ｗ、２４Ｍ、２４ＬＭ、２４Ｃ、２４ＬＣ、２４Ｙ、２４Ｋは、主走査方向に沿って一定の間隔で配置される。また、各カラーインクジェットヘッド２４Ｗ、２４Ｍ、２４ＬＭ、２４Ｃ、２４ＬＣ、２４Ｙ、２４Ｋはノズル面がプラテン２６に対向して配置される。
【００６４】
ノズル面には、図４に示すように、副走査方向（Ｙ方向）に沿ってノズル列６１Ｗ、６１Ｍ、６１ＬＭ、６１Ｃ、６１ＬＣ、６１Ｙ、６１Ｋが形成される。ノズル列６１Ｗ、６１Ｍ、６１ＬＭ、６１Ｃ、６１ＬＣ、６１Ｙ、６１Ｋは、ノズル７０Ｗ、７０Ｍ、７０ＬＭ、７０Ｃ、７０ＬＣ、７０Ｙ、７０Ｋを副走査方向（Ｙ方向）に一定のピッチ（ノズルピッチ）で配置して構成される。
【００６５】
各カラーインクジェットヘッド２４Ｗ、２４Ｍ、２４ＬＭ、２４Ｃ、２４ＬＣ、２４Ｙ、２４Ｋのノズル列６１Ｗ、６１Ｍ、６１ＬＭ、６１Ｃ、６１ＬＣ、６１Ｙ、６１Ｋを構成する各ノズル７０Ｗ、７０Ｍ、７０ＬＭ、７０Ｃ、７０ＬＣ、７０Ｙ、７０Ｋは、主走査方向（Ｘ方向）に対して同一直線上に配置される。したがって、各カラーインクジェットヘッド２４Ｗ、２４Ｍ、２４ＬＭ、２４Ｃ、２４ＬＣ、２４Ｙ、２４Ｋを主走査方向に往復移動させると、同一直線上にインクを打滴することができる（重ねて打滴することができる。）。
【００６６】
また、各カラーインクジェットヘッド２４Ｗ、２４Ｍ、２４ＬＭ、２４Ｃ、２４ＬＣ、２４Ｙ、２４Ｋは、吐出するインク滴のサイズ（インク量（インク体積）と同義）を変えることができ、指示されたサイズ（インク量）のインク滴を吐出する。たとえば、大滴、中滴、小滴の３サイズのインク滴を選択的に吐出する。これにより、異なるサイズのドットを記録媒体上に形成することができる。
【００６７】
クリアインクジェットヘッド２４ＣＬは、紫外線硬化型の無色透明なクリアインク（ＣＬ）を吐出する。
【００６８】
クリアインクジェットヘッド２４ＣＬの構成は、カラーインクジェットヘッド２４Ｗ、２４Ｍ、２４ＬＭ、２４Ｃ、２４ＬＣ、２４Ｙ、２４Ｋの構成と同じである。
【００６９】
クリアインクジェットヘッド２４ＣＬは、カラーインクジェットヘッド２４Ｗ、２４Ｍ、２４ＬＭ、２４Ｃ、２４ＬＣ、２４Ｙ、２４Ｋの片側に配置され、カラーインクジェットヘッド２４Ｗ、２４Ｍ、２４ＬＭ、２４Ｃ、２４ＬＣ、２４Ｙ、２４Ｋに並列して配置される（図３に示す例では、クリアインクジェットヘッド２４ＣＬは、クロインクジェットヘッド２４Ｋの隣に配置されている。）。また、クリアインクジェットヘッド２４ＣＬは、ノズル面がプラテン２６に対向して配置される。
【００７０】
ノズル面には、図４に示すように、副走査方向（Ｙ方向）に沿ってノズル列６１ＣＬが形成される。ノズル列６１ＣＬは、ノズル７０ＣＬを副走査方向（Ｙ方向）に一定のピッチ（ノズルピッチ）で配置して形成される。なお、クリアインクジェットヘッド２４ＣＬの構成については、のちに詳述する。
【００７１】
各カラーインクジェットヘッド２４Ｗ、２４Ｍ、２４ＬＭ、２４Ｃ、２４ＬＣ、２４Ｙ、２４Ｋのノズル列６１Ｗ、６１Ｍ、６１ＬＭ、６１Ｃ、６１ＬＣ、６１Ｙ、６１Ｋを構成する各ノズル７０Ｗ、７０Ｍ、７０ＬＭ、７０Ｃ、７０ＬＣ、７０Ｙ、７０Ｋと、クリアインクジェットヘッド２４ＣＬのノズル列６１ＣＬを構成する各ノズル７０ＣＬは、主走査方向に対して同一直線上に配置される。したがって、各カラーインクジェットヘッド２４Ｗ、２４Ｍ、２４ＬＭ、２４Ｃ、２４ＬＣ、２４Ｙ、２４Ｋを主走査方向に往復移動させると、クリアインクジェットヘッド２４ＣＬのノズル７０ＣＬから吐出させたインク（クリアインク）は、カラーインクジェットヘッド２４Ｗ、２４Ｍ、２４ＬＭ、２４Ｃ、２４ＬＣ、２４Ｙ、２４Ｋから吐出させたインク（カラーインク）に重ねて打滴することができる。
【００７２】
また、クリアインクジェットヘッド２４ＣＬは、カラーインクジェットヘッド２４Ｗ、２４Ｍ、２４ＬＭ、２４Ｃ、２４ＬＣ、２４Ｙ、２４Ｋと同様に吐出するインクのサイズ（インク量）を変えることができ、指示されたサイズ（インク量）のインク滴を吐出する。この際、クリアインクジェットヘッド２４ＣＬは、カラーインクジェットヘッド２４Ｗ、２４Ｍ、２４ＬＭ、２４Ｃ、２４ＬＣ、２４Ｙ、２４Ｋから吐出するインク滴のサイズよりも大きいサイズのインク滴を吐出する。すなわち、記録媒体上に打滴されたカラーのドットを被覆可能なサイズのクリアのインク滴を吐出する。たとえば、大滴、中滴、小滴の３サイズのインク滴を選択的に吐出する。
【００７３】
なお、各カラーインクジェットヘッド２４Ｗ、２４Ｍ、２４ＬＭ、２４Ｃ、２４ＬＣ、２４Ｙ、２４Ｋと、クリアインクジェットヘッド２４ＣＬとは、特に区別する場合を除いて、インクジェットヘッド２４と記載する。ノズル列６１Ｗ、６１Ｍ、６１ＬＭ、６１Ｃ、６１ＬＣ、６１Ｙ、６１Ｋ、６１ＣＬ、及び、ノズル７０Ｗ、７０Ｍ、７０ＬＭ、７０Ｃ、７０ＬＣ、７０Ｙ、７０Ｋ、７０ＣＬについても同様であり、特に区別する場合を除いて、ノズル列６１、ノズル７０と記載する。
【００７４】
一対の仮硬化光源３２Ａ、３２Ｂは、ヘッドユニットＨを挟んで左右対称に配置される。画像記録時は、ヘッドユニットＨの移動方向下流側の仮硬化光源３２Ａ、３２Ｂが点灯される。これにより、双方向印字時においても、記録媒体上に打滴されたインクに紫外線を照射させることができ、インクを仮硬化させることができる。
【００７５】
一対の本硬化光源３４Ａ、３４Ｂは、記録媒体１２の搬送方向に対して仮硬化光源３２Ａ、３２Ｂの下流側に配置され、ヘッドユニットＨを挟んで左右対称に配置される。この一対の本硬化光源３４Ａ、３４Ｂは、画像記録中、常に発光される。これにより、双方向印字時においても、記録媒体上に打滴されたインクに紫外線を照射させることができ、インクを本硬化させることができる。
【００７６】
〔制御系の構成〕
図５は、インクジェット記録装置の制御系の要部構成を示すブロック図である。
【００７７】
同図に示すように、インクジェット記録装置１０は制御装置１０２を備える。制御装置１０２は、記録媒体１２の搬送を制御する記録媒体搬送制御部１０４、キャリッジ２８の移動を制御するキャリッジ移動制御部１０６、仮硬化光源３２Ａ、３２Ｂ及び本硬化光源３４Ａ、３４Ｂの発光を制御する光源発光制御部１０８、各種画像処理を行う画像処理部１１０、インクジェット（カラーインクジェットヘッド及びクリアインクジェットヘッド）の駆動を制御するインクジェットヘッド駆動制御部１１２等を備える。制御装置１０２は、たとえば、マイクロコンピュータで構成され、各部の機能は所定の制御プログラムを実行して実現される。なお、制御装置１０２の各部の機能はハードウェア回路で実現することもできる。
【００７８】
記録媒体搬送制御部１０４は、ニップローラ４０の回転駆動手段、繰出軸４２の回転駆動手段、及び、巻取軸４４の回転駆動手段等で構成される記録媒体の搬送手段（記録媒体搬送手段（副走査方向移動手段））１１４を制御し、記録媒体１２の搬送を制御する。記録媒体１２は、インクジェットヘッド２４による主走査方向（ラスタ方向：Ｘ方向）の往復走査（印刷パスの動き）に合わせて、副走査方向（カラム方向：Ｙ方向）へ間欠送りされる。
【００７９】
キャリッジ移動制御部１０６は、キャリッジを駆動する手段（キャリッジ駆動手段（主走査方向移動手段））１１６を制御し、キャリッジ２８の移動（主走査方向の走査）を制御する。
【００８０】
光源発光制御部１０８は、仮硬化光源３２Ａ、３２Ｂ及び本硬化光源３４Ａ、３４Ｂの発光を制御する。
【００８１】
画像処理部１１０は、印刷用の画像データに対して各種画像処理を施し、印刷用の各種データを生成する。
【００８２】
図６は、画像処理部のブロック図である。
【００８３】
画像処理部１１０は、カラーインクドット配置データ生成部１１０Ａ、カラーインクドット形成順序決定部１１０Ｂ、クリアインクドット配置データ生成部１１０Ｃ、クリアインクドット形成順序決定部１１０Ｄ等を備える。
【００８４】
カラーインクドット配置データ生成部（カラーインクドット配置データ取得手段）１１０Ａは、印刷用の画像データに対して各種画像処理を施し、印刷に際して必要なカラーインクドット配置データを生成する。カラーインクドット配置データは、一般に多階調の画像データに対して色変換処理、ハーフトーン処理を行って生成される。色変換処理は、ｓＲＧＢなどで表現された印刷用の画像データ（たとえば、ＲＧＢ各色について８ビットの画像データ）をインクジェット記録装置１０で使用するインク色ごとの色データに変換する処理である。ハーフトーン処理は、色変換処理により生成された各色の色データに対して、誤差拡散法や閾値マトリクス等の処理で各色のカラーインクドット配置データに変換する処理である。ハーフトーン処理の手段としては、誤差拡散法、ディザ法、閾値マトリクス法、濃度パターン法など各種公知の手法を用いることができる。ハーフトーン処理は、一般にＭ値（Ｍ≧３）の階調画像データをＮ値（Ｎ＜Ｍ）の階調画像データに変換する。最も簡単な例では、二値（ドットのオンオフ）のドット画像データに変換するが、ハーフトーン処理において、ドットサイズの種類（たとえば、大ドット、中ドット、小ドットなどの３種類）に対応した多値の量子化を行うことも可能である。このようして生成された二値又は多値のデータ（カラーインクドット配置データ）は、各ノズルの駆動（オン）／非駆動（オフ）、さらに、多値の場合には液滴量（ドットサイズ）を制御するインク吐出データ（打滴制御データ）として利用される。
【００８５】
カラーインクドット形成順序決定部（カラーインクドット形成順序決定手段）１１０Ｂは、カラーインクドット配置データ生成部１１０Ａで生成されたカラーインクドット配置データに基づいて、カラーインクによるドットの形成順序を決定する。すなわち、本実施の形態のインクジェット記録装置１０ではマルチパス方式で画像の記録が行われるので、マルチパス方式で画像を記録するためのドットの形成順序が決定される。マルチパス方式では、異なるノズルによる複数回の主走査によって１ラスタが完成される。したがって、記録媒体上に形成されるドットの順序は主走査方向（ラスタ方向）及び副走査方向（カラム方向）の画素位置順序とは必ずしも一致しない。カラーインクドット形成順序決定部１１０Ｂは、カラーインクドット配置データからマルチパス方式で画像を記録するためのカラーインクドットの形成順序を決定する。すなわち、異なるノズルによる複数回の主走査によって１ラスタが完成されるように、カラーインクドット配置データに基づいてカラーインクドットの形成順序を決定する。
【００８６】
なお、マルチパスによる画像の記録方法については、のちに詳述する。
【００８７】
クリアインクドット配置データ生成部（クリアインクドット配置データ生成手段）１１０Ｃは、カラーインクに重ねてクリアインクを打滴するためのクリアインクのドット配置データを生成する。クリアインクドット配置データ生成部１１０Ｃは、カラーインクドット配置データに基づいてクリアインクのドット配置データを生成する。
【００８８】
クリアインクドット形成順序決定部（クリアインクドット形成順序決定手段）１１０Ｄは、マルチパス方式で打滴される各カラーインクに重ねてクリアインクを打滴するためのクリアインクのドット形成順序を決定する。クリアインクドット形成順序決定部１１０Ｄは、クリアインクドット配置データ及びカラーインクドットの形成順序に基づいてクリアインクドットの形成順序を決定する。
【００８９】
なお、クリアインクの打滴方法については、のちに詳述する。
【００９０】
インクジェットヘッド駆動制御部（カラーインクジェットヘッド駆動制御手段、クリアーインクジェットヘッド駆動制御手段）１１２は、各インクジェットヘッド２４の駆動を制御する制御手段であり、画像処理部１１０において求めたカラーインクドット配置データ及びカラーインクドットの形成順序にしたがってカラーインクジェットヘッド２４Ｗ、２４Ｍ、２４ＬＭ、２４Ｃ、２４ＬＣ、２４Ｙ、２４Ｋを駆動する。また、画像処理部１１０において求めたクリアドット配置データ及びクリアドットの形成順序にしたがってクリアインクジェットヘッド２４ＣＬを駆動する。
【００９１】
制御装置１０２には、入力装置１２０、表示装置１２２、情報記憶部１２４、画像入力インターフェース１２６、センサ１２８等が接続される。
【００９２】
入力装置１２０は、手動による外部操作信号を制御装置１０２へ入力する入力手段であり、たとえば、キーボード、マウス、タッチパネル、操作ボタン等で構成される。
【００９３】
表示装置１２２は、各種情報を表示する表示手段であり、液晶ディスプレイ、有機ＥＬディスプレイ、ＣＲＴなどで構成される。
【００９４】
オペレータは、入力装置１２０を操作することにより、作画モードの選択、印刷条件の入力や付属情報の入力・編集などを行うことができる。また、入力内容等の各種情報は、表示装置１２２の表示を通じて確認することができる。
【００９５】
情報記憶部１２４は、各種情報を記憶する記憶手段であり、たとえば、不揮発性メモリで構成される。制御装置で実行する制御プログラムや制御に必要な各種情報は、この情報記憶部に記憶される。
【００９６】
画像入力インターフェース１２６は、外部機器（たとえば、ＰＣやリムーバブルディスク等）と接続されて、その外部機器から記録媒体１２に記録するための画像データ（たとえば、ＲＧＢ各色について８ビットの画像データ）を取り込むためのインターフェースである。画像入力インターフェース１２６を介して入力された画像データは、画像処理部１１０に取り込まれる。
【００９７】
センサ１２８は、装置各部に具備されるセンサ類が含まれる。たとえば、キャリッジ２８には記録媒体１２の幅を検出するセンサが備えられ、このセンサから得られた信号に基づいて記録媒体１２の幅が把握される。この他、インクの温度を検出する温度センサや記録媒体の位置を検出する位置検出センサ、圧力センサなどが備えられる。制御装置１０２は、これらのセンサから取得する情報に基づいて各部を制御する。
【００９８】
〔マルチパス方式による画像の記録について〕
上記のように、本実施の形態のインクジェット記録装置１０では、マルチパス方式で画像の記録が行われる。
【００９９】
図７は、マルチパス方式による作画動作の一例を示す模式図である。ここでは、説明を簡単にするために、１つのインクジェットヘッド２４で記録する場合を例に説明する。また、記録媒体１２を副走査方向へ間欠送りする構成について、図示の便宜上、記録媒体１２を停止させ、インクジェットヘッド２４を副走査方向に相対的に間欠移動させるものとして説明する。
【０１００】
シリアル方式のインクジェット記録装置１０では、主走査方向に沿ったインクジェットヘッド２４の往復移動（主走査）と、副走査方向への記録媒体１２の間欠送り（副走査）の組合せによって画像の記録が行われる。
【０１０１】
マルチパス方式は、異なるノズルによる複数回の主走査によって１ラスタが完成されるように、主走査と副走査とを組み合わせて、画像の記録を行う。
【０１０２】
双方向のＮ回のスキャン（走査）で所望の記録解像度の画像を完成させる場合、（Ｎ＋１）走査目の記録媒体１２とインクジェットヘッド２４と相対的な位置関係（副走査方向の位置関係）は、図７に示すようになる。つまり、Ｎ回書きを行うために、１回目、２回目、３回目、・・・と副走査方向に間欠送りし、ちょうど（Ｎ＋１）回目にヘッド（ノズル列）の長さ分に対応した位置に繋がるような位置関係とされる。Ｎ回書きの動作がシームレスに繋がるためには、１走査目の副走査位置から「ノズル列長＋１ノズルピッチ」分だけ副走査方向に移動して（Ｎ＋１）走査目が行われる。
【０１０３】
一例として、ノズル配列密度１００ｎｐｉ（１インチあたりのノズル数の略）、２５６個のノズル７０が並んだノズル列を有するインクジェットヘッド２４を用いて、主走査方向２パス、副走査方向４パス（主２×副４）の８パス（８回書き）で主走査６００ｄｐｉ×副走査４００ｄｐｉの記録解像度を実現する場合を考える。
【０１０４】
記録解像度から定まる打滴点（画素）の間隔を「打滴点間隔」（「画素間隔」、「ドット間隔」と同義）と呼び、記録可能な打滴点の位置を表す格子（マトリクス）を「打滴点格子」（「画素格子」と同義）と呼ぶ。
【０１０５】
主走査６００ｄｐｉ×副走査４００ｄｐｉの記録解像度の場合、主走査方向の打滴点間隔は、２５．４（ミリメートル）／６００≒４２．３マイクロメートル、副走査方向の打滴点間隔は、２５．４（ミリメートル）／４００＝６３．５マイクロメートルである。これは、打滴点格子の１セル（１画素相当）の大きさ「４２．３マイクロメートル×６３．５マイクロメートル」を表している。記録媒体の送り制御やインクジェットヘッド２４からの打滴位置（打滴タイミング）の制御については、この記録解像度から定まる打滴点間隔を単位として送り量や位置が制御される。なお、記録解像度から定まる打滴点間隔を「解像度ピッチ」あるいは「画素ピッチ」と呼ぶ場合がある。
【０１０６】
Ｎ＝８（主２×副４）の場合、主走査方向の打滴点ライン（ラスタ（走査線））を２回の走査で埋め、副走査方向の打滴点ライン（走査線）を４回の走査で埋めるように、８回の走査（パス）で２×４個の打滴点格子の記録が行われる。
【０１０７】
このような８回書きの描画動作による各走査の番号（１から８）と、その走査によって記録される打滴位置の関係を模式的に示したものが図８である。図８において、１から８の数字が付された各セルは、ノズル７０によって記録される打滴位置（画素位置）を表し、１〜８の数字は、その画素位置が第何回目の走査時に記録されるかという走査の番号を表している。「１」の数字が付されたセル（画素）は、１走査目で記録する打滴位置を表している。
【０１０８】
図８から明らかなように、各打滴位置を記録する走査順番を表す１から８の数字の配置分布は、主２×副４の「２×４」の格子が繰り返しの基本単位となっている。この２×４の格子を「基本単位格子」あるいは「２×４格子」と呼ぶ。２×４格子の埋め方（打滴順序）は、図８に示した例に限らず、種々想定することができる。
【０１０９】
〔クリアインクを組み合わせた画像の記録〕
［第１の形態］
マルチパス方式の場合、１パス（走査）で得られる凹凸形状を主走査方向と副走査方向の双方にランダム化することができ、光沢バンディングを低減することができる。
【０１１０】
しかし、打滴するドットのサイズを大きくした設計のヘッドを使用した場合などには、ドット同士が繋がってしまうため、マルチパス方式を採用しても必ずしも光沢バンディングには効果を発揮しない場合がある。特に、紫外線硬化型のインクを使用した場合には、凹凸が顕著になるため、マルチパス方式を採用しても光沢バンディングを防ぎきれない場合がある。
【０１１１】
そこで、本実施の形態では、カラーインクに重ねてクリアインクを打滴することにより、マルチパス方式だけでは対策の難しい光沢バンディングの発生を防止する。
【０１１２】
すなわち、記録媒体上に打滴されたカラーインクに重ねてクリアインクを打滴することにより、カラーインクの打滴によって生じる凹凸をなだらかにし、光沢バンディングを防止する。以下、本実施の形態の画像記録方法について詳説する。
【０１１３】
上記のように、本実施の形態の画像記録方法では、カラーインクに重ねてクリアインクを打滴する。
【０１１４】
図９（Ａ）に示すようにカラーインクが打滴される場合を考える。この場合、図９（Ｂ）に示すように、先に記録媒体上に打滴されたカラーインクに重ねてクリアインクが打滴される。この際、先に打滴されたカラーインクを被覆するようにクリアインクが打滴される。このため、クリアインクは、カラーインクの打滴サイズ（インク量、ドットサイズと同義）ｒよりも大きな打滴サイズＲで打滴される。
【０１１５】
このように、カラーインクのドットをクリアインクのドットで被覆することにより、カラーインクのドットで生じる凹凸をなだらかにすることができ、光沢バンディングの発生を抑えることができる。
【０１１６】
すなわち、画像の光沢感は、画像に入射した光がどのように反射するかで決まるので、カラーインクで形成される凹凸をなだらかにすることにより、主走査方向と副走査方向の凹凸の異方性を低減でき、光沢バンディングの発生を抑えることができる。
【０１１７】
また、このようにカラーインクに重ねてクリアインクを打滴しても、クリアインク自体は無色透明であるため、画像濃度に影響を与えることがない。すなわち、光沢バンディングのみを効率よく防止することができる。
【０１１８】
また、クリアインク用のインクジェットヘッドを元々備えたインクジェット記録装置であれば、構成を追加したり変えたりすることなく使用することができ、既存の設備を用いて効率よく光沢バンディングの発生を防ぐことができる。
【０１１９】
なお、本実施の形態のインクジェット記録装置１０では、クリアインクジェットヘッド２４ＣＬが、カラーインクジェットヘッド２４Ｗ、２４Ｍ、２４ＬＭ、２４Ｃ、２４ＬＣ、２４Ｙ、２４Ｋの片側にのみ配置されている。この場合、クリアインクジェットヘッド２４ＣＬは、キャリッジ２８の走行方向に対して下流側に位置する場合にのみ駆動される。このため、画像処理部１１０は、キャリッジ２８の走行方向に対して下流側に位置する場合にのみクリアインクを打滴するようにクリアインクの打滴順序を設定し、かつ、カラーインクに重ねてクリアインクが打滴されるように、クリアインクのドットの配置順序を決定する。これにより、先に打滴されたカラーインクに重ねてクリアインクを打滴することができる。
【０１２０】
なお、上記の例では、カラーインクが、すべて同じ打滴サイズ（ドットサイズ）で打滴される場合について示しているが、図１０に示すように、複数の打滴サイズで打滴する場合にも適用することができる。この場合、図１０（Ｂ）に示すように、最大サイズのカラーインクの打滴サイズよりも大きな打滴サイズのクリアインクを打滴する。
【０１２１】
また、このように、複数の打滴サイズでカラーインクを打滴する場合は、図１１に示すように、各カラーインクの打滴サイズに合わせて、クリアインクの打滴サイズを変えるようにしてもよい。すなわち、重ねて打滴するカラーインクよりも大きい打滴サイズのクリアインクを打滴すればよい。たとえば、大滴、中滴、小滴の３つの打滴サイズでカラーインクを打滴して画像を記録する場合、クリアインクもこれに合わせて大滴、中滴、小滴の３つの打滴サイズで打滴する。ただし、この場合、クリアインクの打滴サイズは、カラーインクの打滴サイズよりも大きくする。すなわち、クリアインクの大滴はカラーインクの大滴よりも大きな打滴サイズとし、クリアインクの中滴はカラーインクの中滴よりも大きな打滴サイズとする。同様にクリアインクの小滴はカラーインクの小滴よりも大きな打滴サイズとする。これにより、先に打滴されたカラーインクを被覆してクリアインクを打滴することができる。
【０１２２】
なお、単にインクの打滴による凹凸（山谷）を解消する目的であれば、クリアインクに重ねてカラーインクを打滴する構成とすることもできるが、クリアインクはカラーインクに重ねて打滴する構成とすることが好ましく、また、カラーインクよりも打滴量を多くして、カラーインクが被覆されるようにすることが好ましい。クリアインクは、もともと画像表面の光沢を付与する機能があり、また、カラーインクの打滴量よりも多くすることにより、被覆ムラの発生を防止できるからである。
【０１２３】
また、クリアインクの打滴量をカラーインクの打滴量よりも多くすることを前提とすると、クリアインクの上にカラーインクを打滴して凹凸をなだらかにするよりも、カラーインクによる凹凸の上にクリアインクを打滴して凹凸をなだらかにする方が、凹凸をなだらかにする効果が、より大きいからである（クリアインクのなだらかな下地の上にカラーインクを打滴すると、なだらかになる効果は得にくい）。
【０１２４】
［第２の形態］
上記第１の形態では、先に打滴されたカラーインクの打滴サイズよりも大きな打滴サイズのクリアインクを打滴することにより、凹凸をなだらかにして、光沢バンディングの発生を防いでいる。
【０１２５】
本実施の形態では、カラーインクの打滴量（インク量と同義）の少ないところにカラーインクを打滴して、凹凸をなだらかにする。
【０１２６】
図１２は、本実施の形態の画像記録方法の説明図である。
【０１２７】
図１２（Ａ）に示すようにカラーインクが打滴された場合を考える。すなわち、大滴、中滴、小滴の３つの打滴サイズでカラーインクを打滴して画像を記録する場合を考える。この場合、各打滴点（画素）に打滴されるインクの総インク量が、ほぼ同じになるように、クリアインクが補足的に打滴される。たとえば、図１２（Ａ）に示すように、大滴、中滴、小滴の３つの打滴サイズでカラーインクを打滴する場合、打滴量が最大となる打滴点は大滴を打滴した打滴点である。したがって、中滴及び小滴を打滴した打滴点にクリアインクを重ねて打滴し、総インク量が大滴を打滴した打滴点の総インク量と同じになるようにする。たとえば、大滴が９ｐｌ、中滴が６ｐｌ、小滴が３ｐｌの場合、中滴を打滴した打滴点には、３ｐｌのクリアインクを打滴し、小滴が打滴された打滴点には、６ｐｌのクリアインクを打滴する。これにより、各打滴点の総インク量が同じになり、凹凸が均一化される。この結果、凹凸に基づく光沢バンディングの発生を防ぐことができる。
【０１２８】
なお、各打滴点のインクの総インク量は、必ずしも完全に一致させる必要はなく、凹凸をなだらかにできる範囲において、誤差を許容することができる。
【０１２９】
また、上記のようにカラーインクドット配置データに基づいて各色を打滴する場合、各打滴点（画素）に打たれるインク量は、あらかじめ知ることができるので、打滴量の多いところに挟まれた少ないところ（谷間）を検出し、その谷間にクリアインクを打滴する構成とすることもできる。谷間の検出は、たとえば、各打滴点の打滴量の総和を求め、隣接する打滴点の値との差分が一定量を超えたものについて、エッジと判断することができる。そして、２つのエッジがある距離以下のものを谷間と判断することができる。
【０１３０】
［第３の形態］
本実施の形態では、図１３に示すように、記録媒体上に打滴されたカラーインクに対して副走査方向に所定量変位した位置に重ねてクリアインクを打滴する。すなわち、副走査方向にずらしてクリアインクを打滴する。これにより、ラスタ同士の谷を埋めることができ、凹凸をよりなだらかにすることができる。
【０１３１】
カラーインクに対して副走査方向に所定量変位した位置に重ねてクリアインクを打滴するため、本実施の形態のヘッドユニットＨでは、クリアインクジェットヘッド２４ＣＬが、副走査方向に所定量変位して設置される。
【０１３２】
図１４は、本実施の形態の画像記録方法で用いるヘッドユニットの構成を示す平面図である。
【０１３３】
同図に示すように、カラーインクジェットヘッド２４Ｗ、２４Ｍ、２４ＬＭ、２４Ｃ、２４ＬＣ、２４Ｙ、２４Ｋに対して、クリアインクジェットヘッド２４ＣＬが副走査方向に所定量変位して設置されている。
【０１３４】
なお、クリアインクジェットヘッド２４ＣＬを変位（シフト）させる量δについては、カラーインクジェットヘッドのノズルピッチの１／２以下とすることが好ましい。１つのパスで考えると、どのような打滴をする場合であっても、ノズルピッチで打滴の山が現れる。この山は、過去のパスの打滴の山に対して異なる位置に打滴される。しかし、過去のパスによる山の形状は、画像パターンによって異なる。したがって、過去のパスで形成される山の形状に依存しない形で当該パスの山の形をなだらかにすることが要求される。すなわち、１パスで完結する形で山の形をなだらかにすることが望ましい。ここで、クリアインクのノズルがカラーインクのノズルに対して離れすぎる場合、なだらかな山を形成する助けにはならず、カラーインクとクリアインクとが別の山として形成されてしまう。その一方で近すぎる場合には、山をなだらかにすることに寄与せず、山の高さが単純に高くなってしまう。山の形は、打滴サイズ（大滴・中滴・小滴）、さらには多色（４００％）程度まで考慮して、最適な距離を求める必要がある。たとえば、最大打滴量として想定される打滴の広がりを単純に孤立打滴の約倍程度と見込み、打滴半径の１００％〜２００％の相当する位置に打滴することが望ましい。たとえば、ノズルピッチが２５４ｕｍであり、打滴径が大滴１００％で半径５０ｕｍのとき、ノズル位置は５０ｕｍ〜１００ｕｍずらすことが望ましい。これにより、画像のパターンによらず、各種の打滴パターンに対して、打滴の山をなだらかにすることが可能になる。
【０１３５】
なお、本実施の形態では、クリアインクジェットヘッド２４ＣＬを副走査方向に変位させることにより、カラーインクの打滴位置に対してクリアインクを副走査方向にズラして打滴できるようにしているが、記録媒体の送り量を調整することにより、クリアインクの打滴位置をカラーインクの打滴位置に対して副走査方向にずらして打滴することもできる。
【０１３６】
〔その他の実施の形態〕
上記実施の形態では、カラーインクジェットヘッドについて、色ごとに個別にインクジェットヘッドを設けているが、１つのインクジェットヘッドで複数色のインクを吐出する構成とすることもできる。すなわち、１つのインクジェットヘッドに複数のノズル列を形成し、ノズル列ごとに異なる色のインクを吐出できる構成とすることもできる。
【０１３７】
同様に、１つのインクジェットヘッドでカラーインクとクリアインクとを吐出できる構成とすることもできる。この場合、たとえば、カラーインクを吐出するノズル列に並列してクリアインクを吐出するノズル列を形成する。
【０１３８】
また、上記実施の形態では、カラーインクとして、Ｗ、Ｍ、ＬＭ、Ｃ、ＬＣ、Ｙ、Ｋの７色のインクを使用する構成としているが、使用するインクの種類（色数）や色の組合せについては、本実施形態に限定されない。たとえば、ＬＣ、ＬＭを省略する形態やＷを省略する形態、メタルインクを追加する形態、Ｗに代わりメタルインクを使用する形態、特別色のインクを使用する形態なども可能である。また、単色のカラーインクで記録する構成とすることもできる。たとえば、Ｋのみで記録する態様とすることもできる。
【０１３９】
また、複数色のカラーインクを用いる場合、その配列順序については特に限定されるものではない。ただし、複数のインク種のうち紫外線に対する硬化感度の低いインクを仮硬化光源に近い側に配置する構成が好ましい。
【０１４０】
また、上記実施の形態では、活性光線硬化型のインクとして、紫外線硬化型のインクを使用しているが、紫外線以外の光線を使用して硬化させるタイプのインクを使用することもできる。
【０１４１】
また、上記実施の形態では、往方向と復方向の双方向で印字する構成としているが、往方向と復方向のいずれか一方でのみ印字する構成とすることもできる。この場合、クリアインクのインクジェットヘッドが、キャリッジの移動方向下流側に位置する移動方向のときに画像の記録（インクの吐出）を行う構成とする。
【０１４２】
また、上記実施の形態では、副走査を行うに際して、記録媒体側を副走査方向に移動させる構成としているが、ヘッドユニットを副走査方向に移動させて副走査を行う構成とすることもできる。すなわち、ヘッドユニットを副走査方向にも移動できるように構成し、このヘッドユニットの副走査方向への移動と主走査方向への移動とを組み合わせて、画像の記録を行うようにすることもできる。
【０１４３】
また、上記実施の形態では、記録媒体としてロール紙を使用しているが、記録媒体の形態は、これに限定されるものではない。たとえば、枚葉紙の形態であってもよい。
【符号の説明】
【０１４４】
１０…インクジェット記録装置、１２…記録媒体、２０…装置本体、２２…支持脚、２４…インクジェットヘッド、２４Ｗ、２４Ｍ、２４ＬＭ、２４Ｃ、２４ＬＣ、２４Ｙ、２４Ｋ…カラーインクジェットヘッド、２６…プラテン、２８…キャリッジ、３０…ガイド機構、３２Ａ、３２Ｂ…仮硬化光源、３４Ａ、３４Ｂ…本硬化光源、４０…ニップローラ、４２…繰出軸、４４…巻取軸、４６…搬送ガイド、５０…温調手段、５２…プレ温調手段、５４…アフター温調手段、６１（６１Ｗ、６１Ｍ、６１ＬＭ、６１Ｃ、６１ＬＣ、６１Ｙ、６１Ｋ、６１ＣＬ）…ノズル列、７０（７０Ｗ、７０Ｍ、７０ＬＭ、７０Ｃ、７０ＬＣ、７０Ｙ、７０Ｋ、７０ＣＬ）…ノズル、１０２…制御装置、１０４…記録媒体搬送制御部、１０６…キャリッジ移動制御部、１０８…光源発光制御部、１１０…画像処理部、１１０Ａ…カラーインクドット配置データ生成部、１１０Ｂ…カラーインクドット形成順序決定部、１１０Ｃ…クリアインクドット配置データ生成部、１１０Ｄ…クリアインクドット形成順序決定部、１１２…インクジェットヘッド駆動制御部、１１４…記録媒体搬送手段、１１６…キャリッジ駆動手段、１２０…入力装置、１２２…表示装置、１２４…情報記憶部、１２６…画像入力インターフェース、１２８…センサ
【図１】
2014037086.tif 000003
【図２】
2014037086.tif 000004
【図３】
2014037086.tif 000005
【図４】
2014037086.tif 000006
【図５】
2014037086.tif 000007
【図６】
2014037086.tif 000008
【図７】
2014037086.tif 000009
【図８】
2014037086.tif 000010
【図９】
2014037086.tif 000011
【図１０】
2014037086.tif 000012
【図１１】
2014037086.tif 000013
【図１２】
2014037086.tif 000014
【図１３】
2014037086.tif 000015
【図１４】
2014037086.tif 000016
【図１５】
2014037086.tif 000017
【図１６】
2014037086.tif 000018
【図１７】
2014037086.tif 000019
【図１８】
2014037086.tif 000020